(57)【要約】【課題】本発明は、電源オン後に速やかにデータ表示を行う画像表示装置、画像処理装置、画像表示方法及び画像表示プログラムに関する。【解決手段】画像処理装置１は、そのコントローラ１０のＬＣＤコントローラ１１ａが、電源の投入時にＬＣＤ３０に表示させる初期表示データとクロック信号をトランスミッタ１４へ渡し、操作部２０のレシーバ２１へ出力させる。レシーバ２１は、初期表示データとクロック信号を受信すると、初期表示データをバススイッチ２２へ渡すとともに、少なくとも該クロック信号に基づいて、マイコン２３へのステータス信号の信号状態を切り換える。マイコン２３は、ステータス信号の信号状態を監視して、該信号状態に切り換わりが発生すると、ＬＣＤ３０を駆動させて、バススイッチ２２に初期表示データをＬＣＤ３０へ出力させ、ＬＣＤ３０に初期表示データを表示させる。【選択図】          図１
2015231195.tif 000002
【特許請求の範囲】
【請求項１】
電源の投入時に表示手段に表示させる初期表示データと所定のタイミング信号を出力するデータ出力手段と、
電源の投入に起因する信号状態に基づいて前記初期表示データを前記データ出力手段に渡して該初期表示データと前記タイミング信号を出力させるデータ出力制御手段と、
前記初期表示データと前記タイミング信号を受信すると、少なくとも該タイミング信号に基づいて、状態信号の信号状態を切り換える信号切換手段と、
前記信号切換手段から前記初期表示データを受け取って前記表示手段へ出力する表示データ出力手段と、
前記状態信号の信号状態を監視して、該信号状態に切り換わりが発生すると、前記表示手段を駆動させるとともに、前記表示データ出力手段に前記初期表示データを該表示手段へ出力させ、該表示手段に該初期表示データを表示させる表示制御手段と、
を備えていることを特徴とする画像表示装置。
【請求項２】
前記データ出力手段は、
前記タイミング信号として、クロック信号を出力し、
前記信号切換手段は、
所定数の前記クロック信号を受信すると、前記信号状態を切り換えることを特徴とする請求項１記載の画像表示装置。
【請求項３】
前記信号切換手段は、
前記初期表示データと前記タイミング信号の双方に基づいて、前記状態信号の信号状態を切り換えることを特徴とする請求項１または請求項２記載の画像表示装置。
【請求項４】
前記画像表示装置は、
予め初期表示データを記憶する不揮発性記憶手段を、
さらに備え、
前記信号切換手段は、
受信した前記初期表示データが、前記不揮発性記憶手段の前記初期表示データと一致すると、前記状態信号の信号状態を切り換えることを特徴とする請求項１から請求項３のいずれかに記載の画像表示装置。
【請求項５】
前記画像表示装置は、
前記表示制御手段が初期表示データを書き込み可能な書換可能不揮発性記憶手段を、
さらに備え、
前記信号切換手段は、
受信した前記初期表示データが、前記書換可能不揮発性記憶手段の前記初期表示データと一致すると、前記状態信号の信号状態を切り換えることを特徴とする請求項１から請求項３のいずれかに記載の画像表示装置。
【請求項６】
各種画像処理を行ない、該画像処理に必要なデータを画像表示部が表示手段に表示する画像処理装置であって、
前記画像表示部として、請求項１から請求項５のいずれかに記載の画像表示装置を備えていることを特徴とする画像処理装置。
【請求項７】
前記画像処理装置は、
前記各種画像処理を行う制御手段と、
各種操作の行われる操作手段と、
を備え、
前記制御手段は、
前記画像表示部の前記データ出力手段と前記データ出力制御手段を搭載し、
前記操作手段は、
前記信号切換手段と前記表示データ出力手段と前記表示制御手段を搭載し、
前記表示手段が前記操作手段に接続されていることを特徴とする請求項６記載の画像処理装置。
【請求項８】
電源の投入時に表示手段に表示させる初期表示データと所定のタイミング信号を出力するデータ出力処理ステップと、
電源の投入に起因する信号状態に基づいて前記初期表示データを前記データ出力処理ステップに渡して該初期表示データと前記タイミング信号を出力させるデータ出力制御処理ステップと、
前記初期表示データと前記タイミング信号を受信すると、少なくとも該タイミング信号に基づいて、状態信号の信号状態を切り換える信号切換処理ステップと、
前記信号切換処理ステップから前記初期表示データを受け取って前記表示手段へ出力する表示データ出力処理ステップと、
前記状態信号の信号状態を監視して、該信号状態に切り換わりが発生すると、前記表示手段を駆動させるとともに、前記表示データ出力処理ステップに前記初期表示データを該表示手段へ出力させ、該表示手段に該初期表示データを表示させる表示制御処理ステップと、
を有することを特徴とする画像表示方法。
【請求項９】
制御プロセッサに、
電源の投入時に表示手段に表示させる初期表示データと所定のタイミング信号を出力するデータ出力処理と、
電源の投入に起因する信号状態に基づいて前記初期表示データを前記データ出力処理に渡して該初期表示データと前記タイミング信号を出力させるデータ出力制御処理と、
前記初期表示データと前記タイミング信号を受信すると、少なくとも該タイミング信号に基づいて、状態信号の信号状態を切り換える信号切換処理と、
前記信号切換処理から前記初期表示データを受け取って前記表示手段へ出力する表示データ出力処理と、
前記状態信号の信号状態を監視して、該信号状態に切り換わりが発生すると、前記表示手段を駆動させるとともに、前記表示データ出力処理に前記初期表示データを該表示手段へ出力させ、該表示手段に該初期表示データを表示させる表示制御処理と、
を実行させることを特徴とする画像表示プログラム。
【発明の詳細な説明】
【技術分野】
【０００１】
本発明は、画像表示装置、画像処理装置、画像表示方法及び画像表示プログラムに関し、詳細には、データ表示を行う画像表示装置、画像処理装置、画像表示方法及び画像表示プログラムに関する。
【背景技術】
【０００２】
複合装置、複写装置、プリンタ装置、スキャナ装置等の画像処理装置は、操作部に、操作内容や画像処理装置からユーザに情報を通知する表示部が設けられている。
【０００３】
そして、画像処理装置は、一般的に、画像処理装置全体の制御や画像処理を実行するメイン制御部が画像処理装置の本体に設けられ、操作部は、操作部の操作内容を取得してメイン制御部へ送ったり、メイン制御部からの指示応じてＬＥＤ（Light Emitting Diode）の点灯制御やブザー音等の鳴動制御等を行う操作制御部をそなえている。そして、メイン制御部は、表示制御部を備えて、表示部の表示制御を行っている。
【０００４】
ところが、近年、画像処理装置におけるコスト低減化の要求から、構成部品数を削減するために、従来、メイン制御部が搭載していた表示制御部を、操作部に搭載させ、操作部の表示制御部から操作制御部を経由して表示部の制御を行うようになってきている。
【０００５】
このように表示制御部を操作部に移管して制御を行うと、電源投入後に、初期画面を表示するまでの時間が長くかかるという問題があった。
【０００６】
すなわち、例えば、表示部として、ＬＣＤ（Liquid Crystal Display）を用いている場合、表示制御部に、画像データを長距離伝送のためのトランスミッタを設け、操作部にトランスミッタからの画像データを受け取るレシーバ、ＬＣＤの制御を行う表示制御部としてマイクロコンピュータ（以下、適宜、マイコンという。）、画像データのＬＣＤへの送信タイミングを決定するバススイッチ等を設けることとなる。
【０００７】
そして、電源がオンされると、メイン制御部は、「ブートローダ→Ｕ−Ｂｏｏｔ→カーネル」の順で立ち上がる。メイン制御部は、ブートローダの立ち上がりでデータを送信することができ、メイン制御部のＣＰＵ（Central Processing Unit ）からトランスミッタへ画像データを送り、トランスミッタが操作部のレシーバへ画像データを送信する。
【０００８】
また、ＬＣＤの表示においては、「電源オン→クロック信号の入力→バックライトのオン」というシーケンスを守る必要がある。さらに、電源がオン（ＯＮ）になってからクロック信号が立ち上がるまでに、得て固有の起動時間（例えば、○○秒）という時間制約があり、また、クロック信号が立ち上ってからバックライトをオンするまでの時間（クロック信号の入力回数○○回以上）にも制約がある。また、これらの時間は、ＬＣＤによって異なる。
【０００９】
すなわち、電源がオンしてから、クロック信号を立ち上げるタイミングとバックライトをオンするタイミングを制御する必要がある。ところが、操作部の操作制御部や表示制御部に用いられているマイコンは、クロックを検知する機能を有していないため、主制御部から指示を受ける必要がある。マイコンが、メイン制御部からの指示を受けるためには、カーネルが起動してメイン制御部とマイコンの通信パスが開通するのを待つ必要がある。この通信パス開通後、表示部であるＬＣＤの電源をオンにし、バススイッチに画像データの送信を指示して、バックライトを点灯させることでＬＣＤの表示を行う。これらの制御においては、カーネルが起動してメイン制御部とマイコンの通信パスが開通するのを待つ必要があるため、ＬＣＤを表示させるまでに時間が必要であり、電源が投入済みであることをユーザが確認できるまでに時間がかかるという問題があった。
【００１０】
そこで、従来、表示データを格納する表示データ記憶手段と、電源投入時に主制御部から送出されたリセット信号が主制御部のリセット処理が終了した旨を示すリセット解除状態である場合に、前記表示データ記憶手段に格納された前記表示データを読取るためのアドレスを示すアドレス信号と、前記表示データを読取るタイミングを示すトリガー信号と、前記表示データの表示が有効である旨を示す有効期間信号と、前記表示データを表示するタイミングを示す表示タイミング信号とを送出する表示制御手段と、前記表示制御手段から送出された前記トリガー信号に基づいて、前記アドレス信号に対応する前記表示データを前記表示データ記憶手段から読取る表示データ読取手段と、前記表示制御手段から送出された前記有効期間信号と前記表示タイミング信号とに基づいて、前記表示データ読取手段によって読取られた前記表示データを表示する表示手段と、を備える画像形成装置が提案されている（特許文献１参照）。
【００１１】
すなわち、この従来技術は、電源投入時に、主制御部から送出されたリセット信号に応じて、主制御部の初期処理の終了を待つことなく、表示データ記憶手段から読み取った表示データを表示手段に表示することで、電源投入後に、初期画面を表示部に表示するまでの時間の短縮を図っている。
【発明の概要】
【発明が解決しようとする課題】
【００１２】
しかしながら、上記公報記載の従来技術にあっては、初期処理の終了を待つことなく、表示データ記憶手段から読み取った表示データを表示手段に表示するが、なお、主制御部と表示制御部との通信パスを利用したバックライトの点灯指示が必要である。その結果、主制御部と表示制御部との通信パスが確立するまで、表示することができず、利用性を向上させるうえで、改良の必要があった。
【００１３】
そこで、本発明は、電源オン後に表示手段を表示するまでの時間を短縮することを目的としている。
【課題を解決するための手段】
【００１４】
上記目的を達成するために、請求項１記載の画像表示装置は、電源の投入時に表示手段に表示させる初期表示データと所定のタイミング信号を出力するデータ出力手段と、電源の投入に起因する信号状態に基づいて前記初期表示データを前記データ出力手段に渡して該初期表示データと前記タイミング信号を出力させるデータ出力制御手段と、前記初期表示データと前記タイミング信号を受信すると、少なくとも該タイミング信号に基づいて、状態信号の信号状態を切り換える信号切換手段と、前記信号切換手段から前記初期表示データを受け取って前記表示手段へ出力する表示データ出力手段と、前記状態信号の信号状態を監視して、該信号状態に切り換わりが発生すると、前記表示手段を駆動させるとともに、前記表示データ出力手段に前記初期表示データを該表示手段へ出力させ、該表示手段に該初期表示データを表示させる表示制御手段と、を備えていることを特徴としている。
【発明の効果】
【００１５】
本発明によれば、電源オン後に表示手段を表示するまでの時間を短縮することができる。
【図面の簡単な説明】
【００１６】
【図１】本発明の第１実施例を適用した画像処理装置の要部ブロック図。
【図２】ＬＣＤ初期表示処理を示すフローチャート。
【図３】クロック信号５周期による電源オン／オフ判断を行うＬＣＤ初期表示処理を示すフローチャート。
【図４】クロック信号立ち上がりとデータバス信号による電源オン／オフ判断を行うＬＣＤ初期表示処理を示すフローチャート。
【図５】クロック信号５周期とデータバス信号による電源オン／オフ判断を行うＬＣＤ初期表示処理を示すフローチャート。
【図６】第２実施例の画像処理装置の要部ブロック図。
【図７】第２実施例のＬＣＤ初期表示処理を示すフローチャート。
【図８】第２実施例のフラッシュメモリを用いた画像処理装置の要部ブロック図。
【図９】第２実施例の他のＬＣＤ初期表示処理を示すフローチャート。
【図１０】第３実施例の画像処理装置の要部ブロック図。
【図１１】第３実施例のＬＣＤ初期表示処理を示すフローチャート。
【図１２】第３実施例のＲＯＭを用いた画像処理装置の要部ブロック図。
【図１３】第３実施例の他のＬＣＤ初期表示処理を示すフローチャート。
【発明を実施するための形態】
【００１７】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１８】
図１〜図５は、本発明の画像表示装置、画像処理装置、画像表示方法及び画像表示プログラムの第１実施例を示す図であり、図１は、本発明の画像表示装置、画像処理装置、画像表示方法及び画像表示プログラムの第１実施例を適用した画像処理装置１の要部ブロック図である。
【００１９】
図１において、画像処理装置１は、コントローラ（主制御部）１０、操作部２０及びＬＣＤ３０等を備えており、複合装置、複写装置、プリンタ装置、スキャナ装置等の画像処理装置である。画像処理装置１は、コントローラ１０の制御下で、画像処理装置１の各部を制御して、各種画像処理、例えば、コピー処理、プリント処理、スキャナ処理等を実行する。
【００２０】
ＬＣＤ（表示手段）３０は、詳細には図示しないが、ＬＣＤ面と駆動回路及びバックライトとライト駆動回路等を備えており、操作部２０に搭載されていてもよいし、別構成であってもよい。
【００２１】
ＬＣＤ３０は、操作部２０からの画像データと制御信号によってデータを表示出力する。
【００２２】
コントローラ１０は、ＣＰＵ（Central Processing Unit ）１１、ＲＯＭ（Read Only Memory）１２、ＲＡＭ（Random Access Memory）１３及びトランスミッタ１４等を備えており、ＣＰＵ１１は、ＬＣＤコントローラ１１ａを搭載している。
【００２３】
操作部２０は、レシーバ２１、バススイッチ２２及びマイコン２３等を搭載しており、コントローラ１０及びＬＣＤ３０に接続されている。
【００２４】
ＲＯＭ１２は、ＯＳ（Operating System）、画像処理装置１としての基本プログラム、本発明の画像表示プログラム及び必要なシステムデータ等を格納している。特に、ＲＯＭ１２は、画像処理装置１の電源がオンされたときに、ＬＣＤ３０に表示させる初期表示データが格納されている。
【００２５】
ＣＰＵ１１は、ＲＯＭ１２内のプログラムに基づいて、ＲＡＭ１３をワークメモリとして利用して、画像処理装置１の各部を制御して、画像処理装置としての基本処理を実行する。また、ＣＰＵ１１は、ＲＯＭ１２内の画像表示プログラムに基づいて、画像処理装置１の電源がオンされたときのＬＣＤ３０の初期表示の画像表示方法を実行する。
【００２６】
ＬＣＤコントローラ（データ出力制御手段）１１ａは、ＬＣＤ３０に表示させる表示データをトランスミッタ１４に渡し、特に、電源オン時に、ＲＯＭ１２内の初期表示データを読み出して、トランスミッタ１４に渡す。
【００２７】
トランスミッタ（データ出力手段）１４は、操作部２０のレシーバ２１に、データバスとクロック信号線で接続されている。トランスミッタ１４は、ＬＣＤコントローラ１１ａから受け取った画像データを、クロック信号（所定のタイミング信号）及びデータバス信号（初期表示データ）として、レシーバ２１へ送信する。
【００２８】
レシーバ（信号切換手段）２１は、クロック信号とデータバス信号がトランスミッタ１４から入力されると、電源起動時には、画像データのクロック信号とデータバス信号の適否を判定して、適切であると判定すると、マイコン２３に出力しているステータス信号（状態信号）を変化させる。また、レシーバ２１は、受信した画像データをバススイッチ２２に出力する。
【００２９】
マイコン（表示制御手段）２３は、レシーバ２１から起動通知信号が入力されると、バススイッチ２２にデータ信号送信指示を出力するとともに、ＬＣＤ３０に制御信号を出力して、ＬＣＤ３０にバックライト点灯を行わせる等の表示を制御する。
【００３０】
バススイッチ（表示データ出力手段）２２は、マイコン２３からデータ信号送信指示があると、レシーバ２１から送られてくる画像データをＬＣＤ３０へ送信する。
【００３１】
ＬＣＤ３０は、マイコン２３からの制御に基づいて、バックライトを点灯し、バススイッチ２２から送られてくる画像データを表示する。
【００３２】
そして、上記コントローラ１０、操作部２０及びＬＣＤ３０は、画像処理装置１の要部であるとともに、画像表示部（画像表示装置）４０としても機能しており、画像処理装置１は、画像表示部４０を搭載して画像処理する画像処理装置として機能している。
【００３３】
すなわち、画像処理装置１及び画像表示部４０は、従来、コントローラ１０が搭載していた表示制御部を、操作部２０に移管し、レシーバ２１とバススイッチ２２を操作部２０に搭載している。そして、画像処理装置１及び画像表示部４０は、マイコン２３がコントローラ１０からの表示起動信号であるクロック信号に基づくステータス信号の状態変化によって起動して、コントローラ１０から送られてくる画像データのＬＣＤ３０への表示制御を行う。
【００３４】
そして、画像処理装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の画像表示方法を実行する画像表示プログラムを読み込んでＲＯＭ１２等に導入することで、後述する電源オン時のＬＣＤ３０を表示するまでの時間を短縮する画像表示方法を実行する画像表示部４０を搭載する画像処理装置として構築されている。この画像表示プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００３５】
次に、本実施例の作用を説明する。本実施例の画像処理装置１は、画像処理装置１の電源オン時にＬＣＤ３０を表示するまでの時間を短縮する。
【００３６】
すなわち、画像処理装置１は、図２に示すように、電源スイッチがオンされると（ステップＳ１０１）、コントローラ１０がブートローダを起動させて、Ｕ−Ｂｏｏｔを介して、カーネルを起動させる。コントローラ１０は、ブートローダが立ち上がると、画像データを送信することができ、ＣＰＵ１１が、画像データをトランスミッタ１４へ渡す（ステップＳ１０２）。トランスミッタ１４は、受け取った画像データを、クロック信号及びデータバス信号として操作部２０のレシーバ２１へ送信する。
【００３７】
レシーバ２１は、画像データのクロック信号とデータバス信号の適否を判定して（ステップＳ１０３）、適切であると、マイコン２３へ出力しているステータス信号を変化させる。具体的には、図２では、レシーバ２１は、クロック信号の立ち上がりエッジを受信すると（ステップＳ１０３）、クロック信号とデータバス信号が適切であると判断して、マイコン２３へのステータス信号を変化させる（ステップＳ１０４）。
【００３８】
マイコン２３は、ステータス信号が変化したことを検知すると（ステップＳ１０５）、ＬＣＤ３０を制御して、電源をオンさせる（ステップＳ１０６）。
【００３９】
マイコン２３は、ＬＣＤ３０の電源をオンさせると、画像を表示させるのに必要な予め決まっている規定の時間を管理して（ステップＳ１０７）、バススイッチ２２にデータ信号の送信を指示する（ステップＳ１０８）。
【００４０】
マイコン２３は、画像データを出力させた後、バックライトを点灯させるのに必要な予め決まっている既定の時間を管理し（ステップＳ１０９）、規定時間経過すると、バックライト点灯指示をＬＣＤ３０へ出力する（ステップＳ１１０）。
【００４１】
ＬＣＤ３０は、バックライト点灯指示があると、バックライトを点灯させ、バススイッチ２２からのデータを表示させる（ステップＳ１１１）。
【００４２】
したがって、レシーバ２１やバススイッチ２２等の表示制御部を操作部２０に移管しても、電源投入後のＬＣＤ３０への初期画面の表示時間を短縮することができ、利用性を向上させることができる。
【００４３】
なお、上記例においては、コントローラ１０から電源がオンしたか否かを判断するのに、クロック信号の立ち上がりエッジを受信したか否かに基づいて判断している。この電源がオンしたか否かの判断は、上記に限るものではない。
【００４４】
例えば、図３に示すように、クロック信号を予め設定されている回数、例えば、５周期文受信したかに基づいて、電源オン／オフの判断を行ってもよい。なお、図３の説明においては、図２と同様の処理ステップには、同一のステップナンバを付与して、以下の説明では、その説明を省略する。
【００４５】
すなわち、図３の場合、ＣＰＵ１１が、画像データをトランスミッタ１４へ渡して（ステップＳ１０２）、トランスミッタ１４が、受け取った画像データを、クロック信号及びデータバス信号として操作部２０のレシーバ２１へ送信する。
【００４６】
レシーバ２１は、画像データのクロック信号を予め設定されている周期、例えば、５周期分受信したか否かに基づいて、データバス信号の適否を判定する（ステップＳ１２１）。ステップＳ１２１で、レシーバ２１は、クロック信号を５周期分受信すると、ステータス信号を変化させ（ステップＳ１０４）、画像処理装置１は、以降、同様に処理する（ステップＳ１０５〜Ｓ１１１）。
【００４７】
したがって、電源オン／オンの判断をより一層正確に判断することができ、電源投入後のＬＣＤ３０への初期画面の表示時間を適切に短縮することができる。その結果、利用性を向上させることができる。
【００４８】
また、レシーバ２１は、電源オンしたか否かを、上記図２及び図３では、クロック信号のみに基づいて行っているが、図４及び図５に示すように、クロック信号とデータバス信号の双方に基づいて行ってもよい。なお、図４は、図２に対応するＬＣＤ初期表示処理を、図５は、図３に対応するＬＣＤ初期表示処理を示している。なお、図４及び図５の説明において、図２または図３と同様の処理ステップには、同一のステップナンバを付与して、その説明を省略する。
【００４９】
図４において、ＣＰＵ１１が、画像データをトランスミッタ１４へ渡して（ステップＳ１０２）、トランスミッタ１４が、受け取った画像データを、クロック信号及びデータバス信号として操作部２０のレシーバ２１へ送信する。
【００５０】
レシーバ２１は、画像データのクロック信号の立ち上がりエッジを受信したか否かチェックし（ステップＳ１０３）、クロック信号の立ち上がりエッジを受信すると、データバス信号を受信したかチェックする（ステップＳ２０１）。
【００５１】
ステップＳ２０１で、レシーバ２１は、データバス信号を受信すると、適正なデータバス信号を受信したとして、ステータス信号を変化させ（ステップＳ１０４）、画像処理装置１は、以降、同様に処理する（ステップＳ１０５〜Ｓ１１１）。
【００５２】
また、図５において、ＣＰＵが、画像データをトランスミッタ１４へ渡して（ステップＳ１０２）、トランスミッタ１４が、受け取った画像データを、クロック信号及びデータバス信号として操作部２０のレシーバ２１へ送信する。
【００５３】
レシーバ２１は、画像データのクロック信号を予め設定されている周期、例えば、５周期分受信したか否かチェックし（ステップＳ１２１）、クロック信号を５周期分受信すると、データバス信号を受信したかチェックする（ステップＳ２０１）。ステップＳ２０１で、レシーバ２１は、データバス信号を受信すると、適正なデータバス信号を受信したとして、ステータス信号を変化させ（ステップＳ１０４）、画像処理装置１は、以降、同様に処理する（ステップＳ１０５〜Ｓ１１１）。
【００５４】
したがって、電源オン／オンの判断をより一層正確に判断することができ、電源投入後のＬＣＤ３０への初期画面の表示時間を短縮することができる。その結果、利用性を向上させることができる。
【００５５】
このように、本実施例の画像処理装置１は、その画像表示部４０が、電源の投入時にＬＣＤ（表示手段）３０に表示させる初期表示データ（データバス信号）と所定のクロック信号（タイミング信号）を出力するトランスミッタ（データ出力手段）１４と、電源の投入に起因する信号状態に基づいて前記初期表示データを前記トランスミッタ１４に渡して該初期表示データと前記クロック信号を出力させるＬＣＤコントローラ（データ出力制御手段）１１ａと、前記初期表示データと前記クロック信号を受信すると、少なくとも該クロック信号に基づいて、ステータス信号（状態信号）の信号状態を切り換えるレシーバ（信号切換手段）２１と、前記レシーバ２１から前記初期表示データを受け取ってＬＣＤ３０へ出力するバススイッチ（表示データ出力手段）２２と、前記ステータス信号の信号状態を監視して、該信号状態に切り換わりが発生すると、前記ＬＣＤ３０を駆動させるとともに、前記バススイッチ２２に前記初期表示データを該ＬＣＤ３０へ出力させ、該ＬＣＤ３０に該初期表示データを表示させるマイコン（表示制御手段）２３と、を備えている。
【００５６】
したがって、電源が投入されることで、初期表示データとクロック信号の出力を行って、該クロック信号に基づくステータス信号の状態変化によってＬＣＤ３０を駆動させて表示させることができる。その結果、電源投入後のＬＣＤ３０への初期画面の表示時間を短縮することができ、利用性を向上させることができる。
【００５７】
また、本実施例の画像処理装置１は、前記各種画像処理を行うコントローラ（制御手段）１０と、各種操作の行われる操作部（操作手段）２０と、を備え、コントローラ１０が、前記画像表示部４０の前記データ出力手段と前記データ出力制御手段を搭載し、前記操作部２０が、前記信号切換手段と前記表示データ出力手段と前記表示制御手段を搭載し、前記表示手段であるＬＣＤ３０が前記操作部２０に接続されている。
【００５８】
したがって、従来、コントローラ１０が搭載していた信号切換手段と表示データ出力手段を操作部２０へ移管しても、電源投入後のＬＣＤ３０への初期画面の表示時間を短縮することができ、利用性を向上させることができる。
【００５９】
さらに、本実施例の画像処理装置１は、その画像表示部４０が、電源の投入時にＬＣＤ（表示手段）３０に表示させる初期表示データと所定のタイミング信号を出力するデータ出力処理ステップと、電源の投入に起因する信号状態に基づいて前記初期表示データを前記データ出力処理ステップに渡して該初期表示データと前記タイミング信号を出力させるデータ出力制御処理ステップと、前記初期表示データと前記タイミング信号を受信すると、少なくとも該タイミング信号に基づいて、ステータス信号（状態信号）の信号状態を切り換える信号切換処理ステップと、前記信号切換処理ステップから前記初期表示データを受け取って前記ＬＣＤ３０へ出力する表示データ出力処理ステップと、前記ステータス信号の信号状態を監視して、該信号状態に切り換わりが発生すると、ＬＣＤ３０を駆動させるとともに、前記表示データ出力処理ステップに前記初期表示データをＬＣＤ３０へ出力させ、ＬＣＤ３０に該初期表示データを表示させる表示制御処理ステップと、を有する画像表示方法を実行している。
【００６０】
したがって、電源が投入されることで、初期表示データとクロック信号の出力を行って、該クロック信号に基づくステータス信号の状態変化によってＬＣＤ３０を駆動させて表示させることができる。その結果、電源投入後のＬＣＤ３０への初期画面の表示時間を短縮することができ、利用性を向上させることができる。
【００６１】
また、本実施例の画像処理装置１は、その画像表示部４０が、ＣＰＵ１１等の制御プロセッサに、電源の投入時にＬＣＤ（表示手段）３０に表示させる初期表示データと所定のタイミング信号を出力するデータ出力処理と、電源の投入に起因する信号状態に基づいて前記初期表示データを前記データ出力処理に渡して該初期表示データと前記タイミング信号を出力させるデータ出力制御処理と、前記初期表示データと前記タイミング信号を受信すると、少なくとも該タイミング信号に基づいて、状態信号の信号状態を切り換える信号切換処理と、前記信号切換処理から前記初期表示データを受け取ってＬＣＤ３０へ出力する表示データ出力処理と、前記状態信号の信号状態を監視して、該信号状態に切り換わりが発生すると、ＬＣＤ３０を駆動させるとともに、前記表示データ出力処理に前記初期表示データをＬＣＤ３０へ出力させ、ＬＣＤ３０に該初期表示データを表示させる表示制御処理と、を実行させる画像表示プログラムを搭載している。
【００６２】
したがって、電源が投入されることで、初期表示データとクロック信号の出力を行って、該クロック信号に基づくステータス信号の状態変化によってＬＣＤ３０を駆動させて表示させることができる。その結果、電源投入後のＬＣＤ３０への初期画面の表示時間を短縮することができ、利用性を向上させることができる。
【００６３】
さらに、本実施例の画像処理装置１は、その画像表示部４０のトランスミッタ（データ出力手段）１４が、前記タイミング信号として、クロック信号を出力し、レシーバ（信号切換手段）２１が、所定数の前記クロック信号を受信すると、前記信号状態を切り換える。
【００６４】
したがって、クロック信号に基づいて、電源のオン／オフを判定して、ＬＣＤ３０の表示を行うことができ、電源投入後のＬＣＤ３０への初期画面の表示時間を簡単により一層短縮することができる。
【００６５】
また、本実施例の画像処理装置１は、その画像表示部４０の前記信号切換手段であるレシーバ２１が、前記初期表示データと前記タイミング信号の双方に基づいて、前記ステータス信号の信号状態を切り換える。
【００６６】
したがって、電源のオン／オフを正確に判定して、ＬＣＤ３０の表示を行うことができ、電源投入後のＬＣＤ３０への初期画面の表示時間を安全に短縮することができる。
【実施例２】
【００６７】
図６〜図９は、本発明の画像表示装置、画像処理装置、画像表示方法及び画像表示プログラムの第２実施例を示す図であり、図６は、本発明の画像表示装置、画像処理装置、画像表示方法及び画像表示プログラムの第２実施例を適用した画像処理装置５０の要部ブロック図である。
【００６８】
なお、図６は、第１実施例の図１の画像処理装置１と同様の画像処理装置に適用したものであり、図１の画像処理装置１と同様の構成部分には、同一の符号を付与して、その説明を省略する。
【００６９】
図６において、画像処理装置５０は、第１実施例と同様のコントローラ１０とＬＣＤ３０を備えているとともに、操作部５１を備えており、コントローラ１０、操作部５１及びＬＣＤ３０は、画像処理装置５０の要部であるとともに、画像表示部（画像表示装置）５４としても機能している。したがって、画像処理装置５０は、画像表示部５４を搭載して画像処理する画像処理装置として機能している。
【００７０】
操作部５１は、第１実施例と同様のバススイッチ２２とマイコン２３を備えているとともに、レシーバ５２とＥＥＰＲＯＭ（Electrically Erasable and Programmable Read Only Memory ）５３等を備えている。
【００７１】
ＥＥＰＲＯＭ（不揮発性記憶手段）５３は、電源がＯＦＦのときにも記憶内容を保持する不揮発性記憶部であり、予め初期表示データが格納されている。
【００７２】
レシーバ（信号切換手段）５２は、コントローラ１０のトランスミッタ１４から送信されてくるクロック信号とデータバス信号を受け取ると、上記同様に、クロック信号の立ち上がり、または、クロック信号の周期数に基づいて、電源オンに伴う適切なクロック信号であるか判断する。また、レシーバ５２は、受信したデータバス信号をＥＥＰＲＯＭ５３に格納されている初期表示データと一致するか否かチェックして、電源オンに伴う適切な初期表示データであるか判断する。
【００７３】
すなわち、画像処理装置５０は、図７に示すように、ＥＥＰＲＯＭ５３の初期表示データを用いて電源オン／オフの判定を行ってＬＣＤ３０の初期表示処理を行う。なお、図７において、図２と同様の処理ステップには、同一のステップナンバを付与して、その説明を簡略化する。
【００７４】
画像処理装置５０は、図７に示すように、電源スイッチがオンされると（ステップＳ１０１）、コントローラ１０がブートローダを起動させて、Ｕ−Ｂｏｏｔを介して、カーネルを起動させる。コントローラ１０は、ブートローダが立ち上がると、画像データを送信することができ、ＣＰＵ１１が、画像データをトランスミッタ１４へ渡す（ステップＳ１０２）。トランスミッタ１４は、受け取った画像データを、クロック信号及びデータバス信号として操作部２０のレシーバ５２へ送信する。
【００７５】
レシーバ５２は、クロック信号を受信したか判定して（ステップＳ１０３）、クロック信号を受信すると、受信したデータバス信号がＥＥＰＲＯＭ５３に保存されている初期表示データと一致するかチェックする（ステップＳ３０１）。
【００７６】
ステップＳ３０１で、データバス信号とＥＥＰＲＯＭ５３の初期表示データが一致すると、マイコン２３へ出力しているステータス信号を変化させる（ステップＳ１０４）。
【００７７】
マイコン２３は、ステータス信号が変化したことを検知すると（ステップＳ１０５）、ＬＣＤ３０を制御して、電源をオンさせる（ステップＳ１０６）。
【００７８】
マイコン２３は、ＬＣＤ３０の電源をオンさせると、画像を表示させるのに必要な予め決まっている規定の時間を管理して（ステップＳ１０７）、バススイッチ２２にデータ信号の送信を指示する（ステップＳ１０８）。
【００７９】
マイコン２３は、画像データを出力させた後、バックライトを点灯させるのに必要な予め決まっている既定の時間を管理し（ステップＳ１０９）、規定時間経過すると、バックライト点灯指示をＬＣＤ３０へ出力する（ステップＳ１１０）。
【００８０】
ＬＣＤ３０は、バックライト点灯指示があると、バックライトを点灯させ、バススイッチ２２からのデータを表示させる（ステップＳ１１１）。
【００８１】
したがって、レシーバ５２やバススイッチ２２等の表示制御部を操作部２０に移管しても、電源投入を正確に判断して、電源投入後のＬＣＤ３０への初期画面の表示時間を短縮することができ、利用性を向上させることができる。
【００８２】
なお、上記説明においては、不揮発性記憶部としてＥＥＰＲＯＭ５３を用いた場合について説明したが、不揮発性記憶部としては、ＥＥＰＲＯＭ５３に限るものではなく、例えば、図８に示すように、フラッシュメモリ５５であってもよい。
【００８３】
すなわち、図８において、画像処理装置５０は、コントローラ１０、操作部５１及びＬＣＤ３０を備え、操作部５１は、ＥＥＰＲＯＭ５３の代わりに、フラッシュメモリ５５を備えている。フラッシュメモリ（不揮発性記憶手段）５５は、電源がＯＦＦのときにも記憶内容を保持する不揮発性記憶部であり、予め初期表示データが格納されている。
【００８４】
レシーバ５２は、コントローラ１０のトランスミッタ１４から送信されてくるクロック信号とデータバス信号を受け取ると、上記同様に、クロック信号の立ち上がり、または、クロック信号の周期数に基づいて、電源オンに伴う適切なクロック信号であるか判断する。また、レシーバ５２は、受信したデータバス信号をＥＥＰＲＯＭ５３に格納されている初期表示データと一致するか否かチェックして、電源オンに伴う適切な初期表示データであるか判断する。
【００８５】
すなわち、画像処理装置５０は、図９に示すように、ＥＥＰＲＯＭ５３の初期表示データを用いて電源オン／オフの判定を行ってＬＣＤ３０の初期表示処理を行う。なお、図９において、図７と同様の処理ステップには、同一のステップナンバを付与して、その説明を省略する。
【００８６】
図９において、ステップＳ１０３で、レシーバ５２がクロック信号を受信すると、受信したデータバス信号がフラッシュメモリ５５に保存されている初期表示データと一致するかチェックする（ステップＳ３０２）。
【００８７】
ステップＳ３０２で、データバス信号とフラッシュメモリ５５の初期表示データが一致すると、マイコン２３へ出力しているステータス信号を変化させ（ステップＳ１０４）、以降同様に処理する（ステップＳ１０５〜Ｓ１１１）。
【００８８】
したがって、レシーバ５２やバススイッチ２２等の表示制御部を操作部２０に移管しても、電源投入を正確に判断して、電源投入後のＬＣＤ３０への初期画面の表示時間を短縮することができ、利用性を向上させることができる。
【００８９】
このように、本実施例の画像処理装置５０は、その画像表示部５４が、予め初期表示データを記憶する不揮発性記憶手段として、ＥＥＰＲＯＭ５３またはフラッシュメモリ５５を、さらに備え、前記信号切換手段であるレシーバ５２が、受信した前記初期表示データが、前記ＥＥＰＲＯＭ５３またはフラッシュメモリ５５の前記初期表示データと一致すると、前記ステータス信号の信号状態を切り換える。
【００９０】
したがって、電源のオン／オフを初期表示データに基づいてより一層適切に判定して、ＬＣＤ３０へ意図する表示データを表示することができ、電源投入後のＬＣＤ３０への初期画面の表示時間を短縮しつつ表示性を向上させることができる。
【実施例３】
【００９１】
図１０〜図１３は、本発明の画像表示装置、画像処理装置、画像表示方法及び画像表示プログラムの第３実施例を示す図であり、図１０は、本発明の画像表示装置、画像処理装置、画像表示方法及び画像表示プログラムの第３実施例を適用した画像処理装置６０の要部ブロック図である。
【００９２】
なお、図１０は、第１実施例の図１の画像処理装置１と同様の画像処理装置に適用したものであり、図１の画像処理装置１と同様の構成部分には、同一の符号を付与して、その説明を省略する。
【００９３】
図１０において、画像処理装置６０は、第１実施例と同様のコントローラ１０とＬＣＤ３０を備えているとともに、操作部６１を備えている。
【００９４】
操作部６１は、第１実施例と同様のバススイッチ２２を備えているとともに、レシーバ６２、ＶＲＡＭ（video random access memory）６３及びマイコン６４等を備えている。
【００９５】
コントローラ１０、操作部６１及びＬＣＤ３０は、画像処理装置６０の要部であるとともに、画像表示部（画像表示装置）６５としても機能している。したがって、画像処理装置６０は、画像表示部６５を搭載して画像処理する画像処理装置として機能している。
【００９６】
ＶＲＡＭ（書換可能不揮発性記憶手段）６３は、電源がＯＦＦのときにも記憶内容を保持する不揮発性記憶部であり、また、マイコン６４から記憶内容を書き換え可能なデュアルポートメモリである。マイコン６４は、予め初期表示データをＶＲＡＭ６３に書き込んで記憶させる。
【００９７】
レシーバ（信号切換手段）６２は、コントローラ１０のトランスミッタ１４から送信されてくるクロック信号とデータバス信号を受け取ると、上記同様に、クロック信号の立ち上がり、または、クロック信号の周期数に基づいて、電源オンに伴う適切なクロック信号であるか判断する。また、レシーバ６２は、受信したデータバス信号をＶＲＡＭ６３に格納されている初期表示データと一致するか否かチェックして、電源オンに伴う適切な初期表示データであるか判断する。
【００９８】
すなわち、画像処理装置６０は、図１１に示すように、予めマイコン（表示制御手段）６４によって書き込まれているＶＲＡＭ６３の初期表示データを用いて電源オン／オフの判定を行ってＬＣＤ３０の初期表示処理を行う。なお、図１１において、図２と同様の処理ステップには、同一のステップナンバを付与して、その説明を簡略化する。
【００９９】
画像処理装置６０は、図１１に示すように、電源スイッチがオンされると（ステップＳ１０１）、コントローラ１０がブートローダを起動させて、Ｕ−Ｂｏｏｔを介して、カーネルを起動させる。コントローラ１０は、ブートローダが立ち上がると、画像データを送信することができ、ＣＰＵ１１が、画像データをトランスミッタ１４へ渡す（ステップＳ１０２）。トランスミッタ１４は、受け取った画像データを、クロック信号及びデータバス信号として操作部２０のレシーバ６２へ送信する。
【０１００】
レシーバ６２は、クロック信号を受信したか判定して（ステップＳ１０３）、クロック信号を受信すると、受信したデータバス信号がＶＲＡＭ６３に保存されている初期表示データと一致するかチェックする（ステップＳ４０１）。
【０１０１】
ステップＳ４０１で、データバス信号とＶＲＡＭ６３の初期表示データが一致すると、マイコン６４へ出力しているステータス信号を変化させる（ステップＳ１０４）。
【０１０２】
マイコン６４は、ステータス信号が変化したことを検知すると（ステップＳ１０５）、ＬＣＤ３０を制御して、電源をオンさせる（ステップＳ１０６）。
【０１０３】
マイコン６４は、ＬＣＤ３０の電源をオンさせると、画像を表示させるのに必要な予め決まっている規定の時間を管理して（ステップＳ１０７）、バススイッチ２２にデータ信号の送信を指示する（ステップＳ１０８）。
【０１０４】
マイコン６４は、画像データを出力させた後、バックライトを点灯させるのに必要な予め決まっている既定の時間を管理し（ステップＳ１０９）、規定時間経過すると、バックライト点灯指示をＬＣＤ３０へ出力する（ステップＳ１１０）。
【０１０５】
ＬＣＤ３０は、バックライト点灯指示があると、バックライトを点灯させ、バススイッチ２２からのデータを表示させる（ステップＳ１１１）。
【０１０６】
したがって、レシーバ６２やバススイッチ２２等の表示制御部を操作部２０に移管しても、電源投入を正確に判断して、電源投入後のＬＣＤ３０への初期画面の表示時間を短縮することができ、利用性を向上させることができる。
【０１０７】
なお、上記説明においては、書き換え可能な不揮発性記憶部としてＶＲＡＭ６３を用いた場合について説明したが、書き換え可能な不揮発性記憶部としては、ＶＲＡＭ６３に限るものではなく、例えば、図１２に示すように、ＲＯＭ６６であってもよい。
【０１０８】
すなわち、図１２において、画像処理装置６０は、コントローラ１０、操作部５１及びＬＣＤ３０を備え、操作部６１は、ＶＲＡＭ６３の代わりに、ＲＯＭ６６を備えている。ＲＯＭ（書換可能不揮発性記憶手段）６６は、電源がＯＦＦのときにも記憶内容を保持する書き込みポートと読み取りポートを備えた不揮発性記憶部であり、予め初期表示データがマイコン６４によって書き込まれて格納されている。マイコン６４は、コントローラ１０のＣＰＵ１１から初期表示データがデータ通信によって通知され、通知された初期表示データをＲＯＭ６６に書き込む。
【０１０９】
レシーバ６２は、コントローラ１０のトランスミッタ１４から送信されてくるクロック信号とデータバス信号を受け取ると、上記同様に、クロック信号の立ち上がり、または、クロック信号の周期数に基づいて、電源オンに伴う適切なクロック信号であるか判断する。また、レシーバ６２は、受信したデータバス信号をＲＯＭ６６に格納されている初期表示データと一致するか否かチェックして、電源オンに伴う適切な初期表示データであるか判断する。
【０１１０】
すなわち、画像処理装置６０は、図１３に示すように、ＲＯＭ６６の初期表示データを用いて電源オン／オフの判定を行ってＬＣＤ３０の初期表示処理を行う。なお、図１３において、図１１と同様の処理ステップには、同一のステップナンバを付与して、その説明を省略する。
【０１１１】
図１３において、ステップＳ１０３で、レシーバ６２がクロック信号を受信すると、受信したデータバス信号がＲＯＭ６６に保存されている初期表示データと一致するかチェックする（ステップＳ４０２）。
【０１１２】
ステップＳ４０２で、データバス信号とＲＯＭ６６の初期表示データが一致すると、マイコン６４へ出力しているステータス信号を変化させ（ステップＳ１０４）、以降同様に処理する（ステップＳ１０５〜Ｓ１１１）。
【０１１３】
したがって、レシーバ６２やバススイッチ２２等の表示制御部を操作部２０に移管しても、電源投入を正確に判断して、電源投入後のＬＣＤ３０への初期画面の表示時間を短縮することができ、利用性を向上させることができる。
【０１１４】
このように、本実施例の画像処理装置６０は、その画像表示部６５が、前記表示制御手段であるマイコン６４が初期表示データを書き込み可能な書換可能不揮発性記憶手段として、ＶＲＡＭ６３またはＲＯＭ６６を、さらに備え、前記信号切換手段であるレシーバ６２が、受信した前記初期表示データが、ＶＲＡＭ６３またはＲＯＭ６６の前記初期表示データと一致すると、前記ステータス信号の信号状態を切り換える。
【０１１５】
したがって、電源のオン／オフを初期表示データに基づいてより一層適切に判定して、ユーザがＣＰＵ１１及びマイコン６４を介してＶＲＡＭ６３またはＲＯＭ６６の初期表示データを適宜書き換えることで、ユーザの意図する表示データを確実に初期表示させることができる。その結果、ＬＣＤ３０へ意図する表示データを表示することができ、電源投入後のＬＣＤ３０への初期画面の表示時間を短縮しつつ表示性を向上させることができる。
【０１１６】
なお、第２実施例及び第３実施例においては、クロック信号を受信したかのみを判断しているが、図２に示したように、クロック信号の立ち上がりエッジ、または、図３に示したように、所定周期分のクロック信号の受信に基づいて判断する。
【０１１７】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１１８】
１  画像処理装置
１０  コントローラ
１１  ＣＰＵ
１１ａ  ＬＣＤコントローラ
１２  ＲＯＭ
１３  ＲＡＭ
１４  トランスミッタ
２０  操作部
２１  レシーバ
２２  バススイッチ
２３  マイコン
３０  ＬＣＤ
４０  画像表示部
５０  画像処理装置
５１  操作部
５２  レシーバ
５３  ＥＥＰＲＯＭ
５４  画像表示部
５５  フラッシュメモリ
６０  画像処理装置
６１  操作部
６２  レシーバ
６３  ＶＲＡＭ
６４  マイコン
６５  画像表示部
６６  ＲＯＭ
【先行技術文献】
【特許文献】
【０１１９】
【特許文献１】特開２００９−０８９３６６号公報
【図１】
2015231195.tif 000003
【図２】
2015231195.tif 000004
【図３】
2015231195.tif 000005
【図４】
2015231195.tif 000006
【図５】
2015231195.tif 000007
【図６】
2015231195.tif 000008
【図７】
2015231195.tif 000009
【図８】
2015231195.tif 000010
【図９】
2015231195.tif 000011
【図１０】
2015231195.tif 000012
【図１１】
2015231195.tif 000013
【図１２】
2015231195.tif 000014
【図１３】
2015231195.tif 000015